(57)【特許請求の範囲】
【請求項１】
車両の後面を構成する後面部材と、該後面部材の車外側に取り付けられるリアバンパと、該リアバンパの車両幅方向の端側に取り付けられるリフレクタとを備える車両後部構造において、
前記後面部材は、車両幅方向の中央側の平面領域と、該平面領域の端から車両の側面に向かって前方へ傾斜した傾斜領域とを有し、
前記リアバンパは、前記リフレクタを取り付けるために車内側へ窪んだリフレクタ取付部であって、前記後面部材へ向かって突出し該後面部材に対向する背面部を有するリフレクタ取付部を有し、
前記背面部は、前記平面領域にほぼ平行な平面形状部、および該平面形状部から前記傾斜領域に沿って傾斜した傾斜形状部を有し、
前記平面形状部は、車両上下方向に設けられる少なくとも１以上の縦リブを含んでいることを特徴とする車両後部構造。
【請求項２】
前記傾斜領域は、リアバンパの軽微衝突試験において車両前後方向に対して斜めから前記車両に衝突するインパクタの前面とほぼ平行に形成されることを特徴とする請求項１に記載の車両後部構造。
【請求項３】
前記縦リブは、前記リアバンパとリフレクタとの連結部の両脇に設けられることを特徴とする請求項１または２に記載の車両後部構造。
【請求項４】
前記背面部における前記縦リブ同士の間の上側または下側のそれぞれに車両幅方向に設けられる横リブをさらに有し、
前記後面部材は、前記縦リブおよび横リブに囲まれ得る領域に該後面部材と他部材とを締結する締結具を有し、
前記縦リブおよび横リブは、前記インパクタのリアバンパへの衝突時において前記後面部材の締結具の周囲に接触するよう設けられることを特徴とする請求項３に記載の車両後部構造。
【請求項５】
前記後面部材に前記リアバンパへ向かって突出するよう設置されるアブソーバをさらに備え、
前記背面部は、その車幅方向中央側の壁部が前記インパクタのリアバンパへの衝突時において前記アブソーバに接触するよう設けられることを特徴とする請求項２から４のいずれか１項に記載の車両後部構造。
【発明の詳細な説明】
【技術分野】
【０００１】
本発明は、車両の後面を構成する後面部材と、後面部材の車外側に取り付けられるリアバンパと、リアバンパの車両幅方向の端側に取り付けられるリフレクタとを備える車両後部構造に関するものである。
【背景技術】
【０００２】
車両の後部には衝撃緩和装置としてリアバンパが設置されている。リアバンパの安全性の評価基準としては欧州経済委員会（ＥＣＥ）のRegulation NO.42（Ｒ４２）が有名である。ＥＣＥ・Ｒ４２には、比較的遅い速度における衝突を模擬した試験（軽微衝突試験）が規定されている。この軽微衝突試験では、振り子のように動く衝突体（インパクタ）を車両に衝突させ、リアバンパ等の損傷具合が評価される。現在普及する多くのリアバンパがこのＥＣＥ・Ｒ４２を満たすよう設計されている。
【０００３】
一般的なリアバンパには、夜間に車両を視認しやすくするため、外部からの光を反射するリフレクタが備えられている。リアバンパのリフレクタが取り付けられる部位（リフレクタ取付部）は車内側へ窪んだ形状となっている。これらを備えたリアバンパは、テールスカートパネルまたはバックパネルなどの車両の後面を構成する部材（以下、「後面部材」と総称する）に取り付けられている。
【０００４】
現在の車両には、ＥＣＥ・Ｒ４２を満たすだけでなく、衝突時の損害がさらに抑えられるような構成が望まれている。例えば特許文献１には、軽微な後突時においてリフレクタの破損を防止できる車両後部構造が開示されている。特許文献１では、リフレクタを守るためのリフレクタ保護ブラケットおよび補強ブラケットを設置し、加えてリフレクタをその車内側の構造物との間に間隔（クリアランス）を空けて設置することで、リフレクタがインパクタ等によって潰され変形することを防いでいる。
【先行技術文献】
【特許文献】
【０００５】
【特許文献１】特開２００８−９４２３４号公報
【発明の概要】
【発明が解決しようとする課題】
【０００６】
しかし車種によっては、リフレクタまたはリアバンパの車内側にクリアランスを確保することが困難な場合がある。すなわち、特許文献１の車両後部構造の構成をそのまま適用しても、車種によってはリフレクタ保護ブラケット等を取り付けるスペースが確保できなかったり、リフレクタの車内側に間隔を空けることができなかったりするおそれがある。
【０００７】
本発明は、このような課題に鑑み、汎用性の高い簡潔な構成で緊急時におけるリフレクタの破損や脱落を防止可能な車両後部構造を提供することを目的とする。
【課題を解決するための手段】
【０００８】
上記課題を解決するために、本発明にかかる車両後部構造の代表的な構成は、車両の後面を構成する後面部材と、後面部材の車外側に取り付けられるリアバンパと、リアバンパの車両幅方向の端側に取り付けられるリフレクタとを備える車両後部構造において、後面部材は、車両幅方向の中央側の平面領域と、平面領域の端から車両の側面に向かって前方へ傾斜した傾斜領域とを有し、リアバンパは、リフレクタを取り付けるために車内側へ窪んだリフレクタ取付部であって、後面部材へ向かって突出し後面部材に対向する背面部を有するリフレクタ取付部を有し、背面部は、平面領域にほぼ平行な平面形状部、および平面形状部から傾斜領域に沿って傾斜した傾斜形状部を有し、平面形状部は、縦方向に設けられる少なくとも１以上の縦リブを含んでいることを特徴とする。
【発明の効果】
【０００９】
上記のリフレクタ取付部であれば、緊急時などにリアバンパが前方へ向かって変形した場合において、上記形状の背面部によって後面部材に対して面接触することができる。特に、リフレクタ取付部の背面部は、後面部材における平面領域と傾斜領域とで構成された角の領域に面接触するため、車幅方向にずれるような変形が抑えられる。これらによって、上記構成によれば、リフレクタ取付部からの衝撃荷重を効率よく分散させてその変形を抑え、リフレクタの破損および脱落を防ぐことができる。
【００１０】
また、平面形状部には縦リブが含まれていて、平面形状部はこの縦リブによって後面部材に接触する。すなわち、縦リブによって平面形状部は接触面積が低減されている。したがって、平面形状部は後面部材に接触することによる変形や破損のおそれが減少していて、これによってもリフレクタの破損および脱落が防がれている。これらのように、上記構成であれば、背面部の形状を利用するという簡潔な構成でリフレクタを保護できるため、リアバンパの車内側に確保できるクリアランスが狭い場合であっても設置できる。したがって、様々な車種に汎用することが可能である。そして、バンパメンバに代表される追加部材を用いることなくリフレクタの破損や脱落が防止できるため、部品点数を増やすことがなく、車両の軽量化を促進させることができる。
【００１１】
上記の傾斜領域は、リアバンパの軽微衝突試験において車両前後方向に対して斜めから車両に衝突するインパクタの前面とほぼ平行に形成されるとさらに効果的である。
【００１２】
軽微衝突試験では、車両の正面または後面に対して、インパクタを車両前後方向から垂直に衝突させる場合と、車両幅方向に対して３０度の角度で衝突（３０度衝突）させる場合とがある。このうち、特に３０度衝突の場合ではリアバンパが不規則に変形し、リフレクタが破損するおそれが高まる。そこで、上記構成では後面部材の傾斜領域、合わせてリフレクタ取付部の傾斜形状部を、３０度衝突におけるインパクタが垂直に衝突するようこのインパクタと平行に形成している。これによって、インパクタからの衝突荷重を効率よく受けとめ分散させることができるため、リアバンパの変形を抑えてリフレクタを保護することが可能になる。
【００１３】
上記の縦リブは、リアバンパとリフレクタとの連結部の両脇に設けられるとよい。この構成であれば、連結部を保護することでリフレクタの脱落が防止できるため、リフレクタを使用可能な状態に好適に維持することができる。
【００１４】
上記の背面部における縦リブ同士の間の上側または下側のそれぞれに横方向に設けられる横リブをさらに有し、後面部材は、縦リブおよび横リブに囲まれ得る領域に後面部材と他部材とを締結する締結具を有し、縦リブおよび横リブは、インパクタのリアバンパへの衝突時において後面部材の締結具の周囲に接触するよう設けられるとよい。
【００１５】
通常、後面部材は他の部材と連結していて、この連結のために後面部材には各所にボルト等の締結具が締め付けられている。この締結具の周囲の領域は、他の部材が連結していることで剛性が高まっている。そこで上記の縦リブおよび横リブは、この剛性の高い締結具の周囲の領域に接触するよう構成されている。これによってリフレクタ取付部にかけられた衝突荷重を効率よく分散させることができるため、リアバンパおよび後面部材の変形を抑えてリフレクタの破損をより効率よく防止することが可能となっている。
【００１６】
当該車両後部構造は、後面部材にリアバンパへ向かって突出するよう設置されるアブソーバをさらに備え、背面部は、その車幅方向中央側の壁部がインパクタのリアバンパへの衝突時においてアブソーバに接触するよう設けられるとよい。この構成によれば、特にリアバンパが車幅方向の中央側へ向かって変形しようとする際、リフレクタ取付部の背面部がアブソーバに接触することでその変形を抑えることができる。したがって、リアバンパの変形を効率よく防いでリフレクタを破損から保護することができる。
【００１７】
以上のように、上記構成によれば、汎用性の高い簡潔な構成で緊急時におけるリフレクタの破損や脱落を防止可能な車両後部構造を提供することが可能となる。
【図面の簡単な説明】
【００１８】
【図１】本発明の実施形態にかかる車両後部構造を備える車両を後方から示した図である。
【図２】図１の車両後部構造を分解した斜視図である。
【図３】図２の背面部の拡大図である。
【図４】図１の車両後部構造に対応する各断面図である。
【図５】図１の車両後部構造に対応する各断面図である。
【発明を実施するための形態】
【００１９】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
図１は、本発明の実施形態にかかる車両後部構造１００を備える車両を後方から示した図である。図１を含めた以下の図面では、車両幅方向をＸ軸、車両前後方向をＹ軸、車両上下方向をＺ軸で示している。
【００２１】
図１に示すように、車両後部構造１００にはリアバンパ１０２が含まれている。このリアバンパ１０２には、車両幅方向の両端側にリフレクタ１０４ａ・１０４ｂが取り付けられている。当該車両後部構造１００は、主に軽微衝突時におけるリフレクタ１０４ａ・１０４ｂの破損や脱落を防ぐ作用を有している。
【００２２】
図２は、図１の車両後部構造１００を分解した斜視図である。図２に示すように、リアバンパ１０２は、例えばリアスカートパネルやバックパネルなどと呼ばれる、車両の後面を構成する部材（後面部材１０６）の車外側に取り付けられる。後面部材１０６には、リアバンパ１０２へ向かって突出するようにアブソーバ１０８ａ・１０８ｂが取り付けられる。アブソーバ１０８ａ・１０８ｂは衝撃吸収用の部材であって、衝突時などにおいてリアバンパ１０２が変形した際に、リアバンパ１０２と接触してその衝撃荷重を吸収する。
【００２３】
リアバンパ１０２にはリフレクタ１０４ａを取り付けるリフレクタ取付部１１０（リフレクタ１０４ｂ用の不図示のリフレクタ取付部も同様の構成）は、車内側へ窪んでいて、その背面部１１２が後面部材１０６へ向かって突出している。当該車両後部構造１００では、この後面部材１０６に対向する背面部１１２の形状を利用することで、軽微衝突時におけるリフレクタ１０４ａの破損や脱落を防ぐことが可能になっている。
【００２４】
図３は、図２の背面部１１２の拡大図である。図３に示す背面部１１２は、リフレクタ１０４ａ（図２参照）の車内側を覆う部位であって、この背面部１１２の変形や破損はリフレクタ１０４ａの破損や脱落に直結してしまう。そこで本実施形態では、これらを防ぐために、背面部１１２には平面形状部１１４および傾斜形状部１１６などの特有な形状の部位を設けている。これらの部位の縁はリブ形状となっていて、他の部位に接触したとしてもリフレクタ１０４ａの取付けに影響がないよう考慮されている。
【００２５】
図３と図４とを参照しながら説明する。図４は図１の車両後部構造１００に対応する各断面図であって、図４（ａ）は図１のＡ−Ａ断面図である。
【００２６】
図４（ａ）に示すように、後面部材１０６には、車両幅方向の中央側に平面領域Ｅ１が設けられている。背面部１１２の平面形状部１１４は、この後面部材１０６の平面領域Ｅ１にほぼ平行に形成されている。また後面部材１０６には、平面領域Ｅ１の端から車両の側面に向かって、前方へ傾斜した傾斜領域Ｅ２が設けられている。そして背面部１１２の傾斜形状部１１６は、この傾斜領域Ｅ２に沿って平面形状部１１４から傾斜するよう形成されている。
【００２７】
当該車両後部構造１００では、軽微衝突試験を基準にした設計がなされている。軽微衝突試験では、車両の正面または後面に対して、試験装置たるインパクタ１１８を車両前後方向から垂直に衝突させる場合と、車両幅方向に対して３０度の角度で衝突（３０度衝突）させる場合とがある。特に３０度衝突の場合ではリアバンパ１０２が不規則に変形し、リフレクタ１０４ａが破損するおそれが高まる。
【００２８】
そこで当該車両後部構造１００では、後面部材１０６の傾斜領域Ｅ２、およびこの傾斜領域Ｅ２に沿っている背面部１１２の傾斜形状部１１６を、この３０度衝突におけるインパクタ１１８の前面とほぼ平行になるように形成している。すなわち、インパクタ１１８の前面の車両幅方向に対する角度α１と、傾斜領域Ｅ２の角度α２、および傾斜形状部１１６の角度α３がほぼ等しくなるように形成している。
【００２９】
図４（ｂ）は、図４（ａ）の車両後部構造１００の軽微衝突試験（３０度衝突）における変形後の状態を例示する図である。上記構成によって、軽微衝突時において、平面形状部１１４は平面領域Ｅ１に、また傾斜形状部１１６は傾斜領域Ｅ２にそれぞれ面接触することが可能になっている。特に、傾斜領域Ｅ２および傾斜形状部１１６がインパクタ１１８の前面と平行に形成されているため、インパクタ１１８からの衝突荷重を効率よく受けとめ分散させることができる。これにより、バンパメンバに代表される追加部材を用いることなくリフレクタ１０４ａの破損や脱落が防止でき、またリフレクタ１０４ａの設置位置やデザインを変更することなく法規を満たすことができる。したがって、部品点数を増やすことがないために車両の軽量化やコストダウンを促進させることができ、さらには商品性を向上させることができる。
【００３０】
また当該車両後部構造１００は、背面部１１２が傾斜領域Ｅ２および平面領域Ｅ１で構成された角Ｒ１にわたって面接触することで、リアバンパ１０２の車両幅方向へずれるような変形を抑えることができる。これらによって、車両後部構造１００では、背面部１１２ひいてはリアバンパ１０２の変形を抑え、リフレクタ１０４ａを破損や脱落から保護することが可能になっている。
【００３１】
さらに当該車両後部構造１００では、背面部１１２を、その車幅方向中央側の壁部１２０がインパクタ１１８のリアバンパ１０２への衝突時において、アブソーバ１０８ａに接触するよう設けている。この構成によれば、特に３０度衝突において、リアバンパ１０２が車幅方向の中央側へ向かって変形しようとする際、壁部１２０がアブソーバ１０８ａに接触することでその変形を抑えることができる。したがって、リアバンパ１０２の変形を効率よく防いでリフレクタ１０４ａを破損から保護することができる。
【００３２】
再び図３を参照する。図３に示すように、平面形状部１１４の車両中央側（図中右側）には、四角形状にリブが設けられている。詳細には、縦方向に設けられる２つの縦リブ１２２ａ・１２２ｂ、および縦リブ同士の間の上側または下側のそれぞれに横方向に横リブ１２４ａ・１２４ｂが設けられている。
【００３３】
上記各リブによって、平面形状部１１４は、例えば図４（ｂ）に示すように、後面部材１０６への接触面積が低減されている。特に、リフレクタ取付け用のビス１２５が後面部材１０６に接触しないよう構成されている。これらのように、平面形状部１１４は後面部材１０６に接触することによる変形や破損のおそれが減少していて、これらによってもリフレクタ１０４ａの破損および脱落が防がれている。
【００３４】
各リブの構成をさらに詳細に説明する。図４(ａ)に示すように、縦リブ１２２ａ・１２２ｂはリアバンパ１０２とリフレクタ１０４ａとの連結部１２８の両脇に設けられている。そして図４（ｂ）に示すように、縦リブ１２２ａ・１２２ｂによって、軽微衝突時等にリアバンパ１０２が変形した場合であっても、連結部１２８は後面部材１０６に接触することがなくなっている。この構成によれば、連結部１２８を保護することでリフレクタ１０４ａの脱落が防止できるため、リフレクタ１０４ａを使用可能な状態に好適に維持することができる。
【００３５】
図５は図１の車両後部構造１００に対応する各断面図であって、図５（ａ）は図１のＢ−Ｂ断面図である。図５（ａ）に示すように、横リブ１２４ａ・１２４ｂはリフレクタ１０４ａの連結部１２８の上下近傍にそれぞれ設けられている。図５（ｂ）は、図５（ａ）の車両後部構造１００の軽微衝突試験（３０度衝突）における変形後の状態を例示する図である。図５（ｂ）に示すように、横リブ１２４ａ・１２４ｂによっても、連結部１２８は後面部材１０６への接触が防がれている。
【００３６】
上記説明した図３の縦リブ１２２ａ・１２２ｂおよび横リブ１２４ａ・１２４ｂは、後面部材１０６のうちのより剛性の高い領域に接触するよう形成されている。詳細には、縦リブ１２２ａ・１２２ｂおよび横リブ１２４ａ・１２４ｂは、図４（ａ）のアブソーバ１０８ａを取り付けるための締結具（ボルト１２６）を囲うように後面部材１０６へ接触する。そのため、図４（ｂ）に示す縦リブ１２２ａ・１２２ｂはボルト１２６の左右両脇に接触していて、図５（ｂ）に示す横リブ１２４ａ・１２４ｂはボルト１２６の上下両脇に接触している。
【００３７】
なお、図５（ａ）ではボルト１２６は表れていない。これは図４（ａ）と図４（ｂ）とを比べると分かるように、リアバンパ１０２は車両前後方向に対して斜めに変形しているからであって、図５（ａ）の変形前のリアバンパ１０２では連結部１２８はボルト１２６とは車両前後方向において重なっていないからである。
【００３８】
アブソーバ１０８ａに代表されるように、後面部材１０６には他の部材が連結していて、各所にボルトが締め付けられている。このようなボルトの周囲の領域は、複数の部材同士が連結したことで剛性が高まっている。そこで当該車両後部構造１００では、縦リブ１２２ａ・１２２ｂおよび横リブ１２４ａ・１２４ｂを、剛性の高いボルト１２６の周囲の領域に接触し得るよう構成している。この構成によって、リフレクタ取付部１１０にかけられた衝突荷重を効率よく分散させ、リアバンパ１０２および後面部材１０６の変形を抑えてリフレクタ１０４ａの破損をより効率よく防止している。
【００３９】
以上説明したように、当該車両後部構造１００では、背面部１１２の形状を利用するという簡潔な構成でリフレクタ１０４ａを保護できるため、リアバンパ１０２の車内側に確保できるクリアランスが狭い場合であっても設置できる。したがって、様々な車種に汎用することが可能である。
【００４０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４１】
本発明は、車両の後面を構成する後面部材と、後面部材の車外側に取り付けられるリアバンパと、リアバンパの車両幅方向の端側に取り付けられるリフレクタとを備える車両後部構造として利用することができる。
【符号の説明】
【００４２】
Ｅ１   …平面領域、Ｅ２   …傾斜領域、Ｒ１   …角、１００  …車両後部構造、１０２  …リアバンパ、１０４ａ・１０４ｂ  …リフレクタ、１０６  …後面部材、１０８ａ・１０８ｂ  …アブソーバ、１１０  …リフレクタ取付部、１１２  …背面部、１１４  …平面形状部、１１６  …傾斜形状部、１１８  …インパクタ、１２０  …壁部、１２２ａ・１２２ｂ  …縦リブ、１２４ａ・１２４ｂ  …横リブ、１２５  …ビス、１２６  …ボルト、１２８  …連結部
【図１】
0005807474.tif 000002
【図２】
0005807474.tif 000003
【図３】
0005807474.tif 000004
【図４】
0005807474.tif 000005
【図５】
0005807474.tif 000006